(57)【要約】      （修正有）【課題】異種の材料から構成された電球形蛍光ランプを破損させずに容易に分離可能とし、分離作業の効率改善を図った電球形蛍光ランプを提供する。【解決手段】伸縮性および柔軟性を有する固定部材８０の伸拡によりホルダ７０とグローブ４０を固定しているため、廃棄時の分離作業は、グローブとホルダを固定する固定部材伸拡させる支持部材を解除することでホルダとグローブを容易にかつ損傷させることなく分離できる。【選択図】図１
2005158334.tif 000002
【特許請求の範囲】
【請求項１】
放電媒体が封入されているとともに、内面に蛍光体層が形成され、屈曲した１本の放電路の両端に一対の電極を封止した蛍光ランプと；
蛍光ランプを支持するとともに複数の支持部材を有するホルダと；
一端側に口金を有し、一端側から他端側に向けて略円錐状に拡開した開口部を有するとともに内側に蛍光ランプを点灯させる点灯装置を収容したカバー体と；
前記支持部材により伸拡（拡開）することで前記ホルダをグローブ内周壁に接触固定させる伸縮性を有する固定部材と；
を具備していることを特徴とする電球形蛍光ランプ。
【請求項２】
放電媒体が封入されているとともに内面に蛍光体層が形成され、屈曲した１本の放電路の両端に一対の電極を封止した蛍光ランプと；
蛍光ランプを点灯させるための点灯装置を収容し、口金を被冠する円筒状に形成された一端側から他端側に向けて略円錐状に拡開した開口部周囲に渡り複数の切欠部を有しており、開口部はグローブと重なりあうよう取り付けられるカバー体と；
一端側は略球状に形成され、一端側から他端側に向けて幅方向が縮径されるように延在した開口部を有しており、開口部とカバー体開口部と重なりあうよう取り付けられるグローブと；
前記支持部材により伸拡（拡開）することで前記ホルダをグローブ内周壁に接触固定可能な伸縮性を有する固定部材と；
を具備していることを特徴とする電球形蛍光ランプ。
【請求項３】
固定部材は熱収縮材であることを特徴とする請求項２記載の電球形蛍光ランプ。
【請求項４】
請求項１ないし３いずれか一記載の電球形蛍光ランプと；
この電球形蛍光ランプが装着された器具本体と；
を具備していることを特徴とする照明器具。
【発明の詳細な説明】
【技術分野】
【０００１】
本発明は分解可能な電球形蛍光ランプに関する。
【０００２】
電球形蛍光ランプは、ガラス材料を主体とする発光管およびグローブ、金属や樹脂を主体とする点灯装置、これらを収容する樹脂製のカバー体および電気受電部である金属製の口金などが一体に形成されている。そのため、寿命などにより破棄される電球形蛍光ランプを、その異種の材料ごとに分別することは非常に手間がかかり、困難である。
【０００３】
近年では、地球環境の点から各種リサイクルが行なわれている。しかし、上記のように電球形蛍光ランプにおいては、その構成部材の材料ごとに分別することは、非常に手間がかかる。特に、カバー体およびグローブはシリコン樹脂によって固着しているため、それぞれの部材ごとに分離することは容易ではなかった。特にグローブは、使用中の落下やカバー体からの離脱を防止するために、カバー体と互いが重なり合う縁部のわずかな隙間にシリコン樹脂などの接着剤により強固に固着されている。また、発光管を保持する仕切板としてのホルダは、カバー体内壁に接触する部分に形成した凹凸により嵌合しているがその隙間に、グローブとカバー体の接着剤としてのシリコン樹脂が入り込むことがあり、構成部材ごとに分離することは容易ではなかった。
【０００４】
これに対し、発光管とこの発光管を点灯させる点灯装置、点灯装置を収容するカバー体を有した電球形蛍光ランプにおいて、発光管を取り付けたカバー体およびグローブの接続面部位に凹凸を形成し互いを嵌合させ、任意にグローブを着脱できるようにした技術が知られている（例えば、特許文献１参照）。
【０００５】
その他の電球形蛍光ランプとして、カバー体とグローブの接続を螺合により嵌合または分離する技術も知られている（例えば、特許文献２参照）。
【特許文献１】特開平１０−１３４６１４号公報
【特許文献２】特開２００２−２６０４０８号公報
【発明の開示】
【発明が解決しようとする課題】
【０００６】
しかし、特許文献１または２の電球形蛍光ランプは、カバー体とグローブの分離は比較的容易に行なえるものの、この分離作業は一般消費者においても容易に行なえるので、製品の安全確保がむずかしいという問題が生じる。さらに、カバー体および仕切板としてのホルダならびに発光管を分離するためには手間を要し、分離は困難であった。
【０００７】
本発明は上記課題を解決ないしは低減するために、異種の材料から構成された電球形蛍光ランプを容易に分離可能とし、分離作業の効率改善を図った電球形蛍光ランプを提供することを目的とする。
【課題を解決するための手段】
【０００８】
請求項１記載の電球形蛍光ランプは、放電媒体が封入されているとともに、内面に蛍光体層が形成され、屈曲した１本の放電路の両端に一対の電極を封止した蛍光ランプと；蛍光ランプを支持するとともに複数の支持部材を有するホルダと；一端側に口金を有し、一端側から他端側に向けて略円錐状に拡開した開口部を有するとともに内側に蛍光ランプを点灯させる点灯装置を収容したカバー体と；前記支持部材により伸拡（拡開）することで前記ホルダをグローブ内周壁に接触固定可能な伸縮性を有する固定部材と；を具備していることを特徴とするものである。
【０００９】
蛍光ランプは、直管状ガラスバルブのほぼ中央部を加熱溶融し屈曲するか、またはガラスバルブをモールド成形することによってＵ字状に屈曲した形状であっても屈曲部が湾曲状または円弧状に形成されたもの、屈曲部が角形状や尖鋭状に形成されたものであっても構わない。要するに、放電路が屈曲するように直線部の一端同士が連続するように形成されたバルブを意味する。また、屈曲バルブは、ほぼ平行な２本の直線部の一端同士を吹き破りなどによって形成された連通管によって接続されたものや、スパイラル状に形成されたものであってもよい。なお、屈曲バルブはガラス製でなくてもよく、透光性気密容器を形成可能なセラミックスなどの材質で形成することが許容される。
【００１０】
蛍光ランプの内面には直接または間接的に蛍光体層が被着されている。
【００１１】
蛍光ランプの両端位置に電極が封装されている。電極はフィラメントからなる熱陰極、電子放射物質が坦持されたセラミック電極、ニッケルなどから形成された冷陰極などが挙げられる。
【００１２】
バルブには、内部に放電媒体が封入されている。放電媒体としては、アルゴン、ネオン、クリプトン、キセノンなどの不活性ガスおよび水銀からなる。
【００１３】
カバー体は、口金が取付けられるとともに、口金が取付けられた一端側と他端側にグローブを備えるものであり、内部に点灯装置の収容空間が形成されている。
【００１４】
口金は、白熱電球用のＥ形と称されるねじ込みタイプが通常使用されるが、これに限定されない。また、口金は、カバー体に直接装着される必要はなく、間接的にケースに装着されるものやカバー体の一部が口金を構成するものであってもよい。
【００１５】
点灯装置は、カバー体内に収容されるものである。点灯装置の基板は、カバー体に対して直接的または間接的に取付けられて収納されている。点灯装置は、平滑用電解コンデンサを備えるものが一般的であるが、これに限定されない。
【００１６】
発光管はホルダを構成する少なくとも１枚の円盤状の仕切板に取り付けられている。この仕切板は、発光管を保持可能であればその形状、数、材質等は特に限定されない。
【００１７】
さらにホルダを構成する支持部材は、ホルダをグローブに固定させるための固定部材を伸拡（拡開）させることで、固定部材をホルダとグローブ間に介在させる構造を有していればその構造、材料等は特に限定されない。なお、支持部材が円柱形状であれば、基板上には支持部材と略同一形状の挿入孔が形成される。支持部材は、ホルダ固定部材の収縮圧力に耐えられる程度の強度を要する。仕切板が複数枚の場合、略同一外径であり、互いの面が略平行となるよう支持部材により支持されていることが好ましい。例えば仕切板を２枚有している場合、支持部材により保持された２枚の仕切板間に空気層を形成するので、発光管側の熱による点灯装置の温度上昇が抑制できるなどの効果も奏する。
【００１８】
ホルダをグローブに固定させるための固定部材は、伸縮性および弾性ならびに密着性を有しているものが好ましい。例えば、シリコン樹脂、ポリウレタン繊維、ゴムなどの材料から形成されたものが挙げられる。
【００１９】
カバー体内に収納される点灯装置としての回路基板は、発光管の長手方向と垂直に配置され、両面に複数の電子部品を実装した回路基板（ＰＣ板）を備え、高周波点灯を行うインバータ回路（高周波点灯回路）が構成されている。
【００２０】
請求項１記載の電球形蛍光ランプによれば、伸縮性および柔軟性を有する固定部材の伸拡によりホルダとグローブを固定しているため、廃棄時の分離作業は、グローブとホルダを固定する固定部材伸拡させる支持部材を解除することでホルダとグローブを容易にかつ損傷させることなく分離できる電球形蛍光ランプを提供することができる。
【００２１】
請求項２記載の電球形蛍光ランプは、放電媒体が封入されているとともに内面に蛍光体層が形成され、屈曲した１本の放電路の両端に一対の電極を封止した蛍光ランプと；蛍光ランプを点灯させるための点灯装置を収容し、口金を被冠する円筒状に形成された一端側から他端側に向けて略円錐状に拡開した開口部周囲にわたり複数の切欠部を有しており、開口部はグローブと重なりあうよう取り付けられるカバー体と；一端側は略球状に形成され、一端側から他端側に向けて幅方向が縮径されるように延在した開口部を有しており、開口部とカバー体開口部と重なりあうよう取り付けられるグローブと；カバー体のグローブの重なりあう周囲にわたり切欠部を介して環状に配置し、互いを締付けにより固定させる固定部材と；を具備していることが可能となる。
【００２２】
グローブ開口部外径およびカバー体開口部内径は、略同一であることが望ましい。カバー体およびグローブの重なる部分の周方向にわたって環状をなすよう互いを固定部材の締め付けにより支持するため、その締付けの圧力に耐えられるような肉厚や形状をしている必要がある。さらに、カバー体開口部周囲に形成される切欠部は、グローブおよびカバー体を締付け固定させる固定部材を仮固定するものであり、カバー体内壁に凹凸に形成されていても、開口であっても、溝であってもその形状は特に限定されない。さらに一体的に形成されていても、別部材により形成されているものであっても構わない。
【００２３】
固定部材は、カバー体およびグローブを周方向からの締め付けにより支持することが可能であれば、例えば帯状であり環状のゴムにより形成されているものであっても、金属製の平板であっても構わない。要するに、カバー体およびグローブを締め付けにより固定可能であれば材料およびその具体的構造は特に限定されない。
【００２４】
請求項２記載の電球形蛍光ランプによれば、カバー体開口近傍に形成された切欠開口部を介してカバー体およびグローブの重なり合う周囲にわたって固定部材により締付け固定しているため、分離の際にはその固定部材をカバー体外側に位置する固定部材を切断することで分離が容易であるとともに、互いに損傷をすることなく分離することができるため各部材のリサイクルも可能となる。
【００２５】
請求項３記載の電球形蛍光ランプは、請求項２記載の固定部材は、熱収縮部材であることを特徴とするものである。
【００２６】
熱収縮部材としては、例えばエチレンプロピレン、ポリオレフィン系、ふっ素樹脂、シリコンなどが挙げられるが特にこれに限定されるものではない。
【００２７】
請求項３記載の電球形蛍光ランプによれば、固定するための工程を特に要することがないので、製造効率を向上することができる。
【００２８】
請求項４記載の照明器具は、請求項１ないし３いずれか一記載の電球形蛍光ランプと；この電球形蛍光ランプが装着される器具本体と；を具備していることを特徴とする。
【００２９】
請求項４の照明器具は、請求項１ないし３いずれか一記載の電球形蛍光ランプを備えた照明器具を提供することができる。
【発明を実施するための最良の形態】
【００３０】
以下、本発明の電球形蛍光ランプの実施形態図面を参照して説明する。
【００３１】
図１は第１実施形態を示す電球形蛍光ランプ側面断面図である。図２は図１の外囲器分解斜視図である。図３は、図１のＡ−Ａ’部分断面図である。図４は図１の分解側面図である。
【００３２】
電球形蛍光ランプは、口金10を有するカバー体20と、このカバー体20に収納された点灯装置30と、透光性を有するガラス材料で形成されたガラスグローブ40と、このガラスグローブ40内に収納された発光管50とを備えている。そして、ガラスグローブ40とカバー体20とから構成される外周器は、定格電力６０Ｗの白熱電球の規格寸法に近似する外観に形成されている。すなわち口金10を含むランプ長は９８〜１２３ｍｍ程度、直径すなわちガラスグローブ40の最大外径は５５〜６０ｍｍ程度に形成されている。なお、以下、口金10側を上側、ガラスグローブ40側を下側として説明する。
【００３３】
カバー体20は耐熱性合成樹脂、例えばポリブチレンテレフタレート（ＰＢＴ）にて形成されている。カバー体20は、下方に向かって拡開する略円錐状をなし４０〜５０ｍｍ程度の開口部21を下端側に有し、上端には口金10が被される筒状部が一体形成されている。なお、下端側に位置するする開口部21周囲に渡り図２に示すよう後述するグローブ開口部41と重なり合う部分に後述するグローブ40とカバー体20を締付け固定するための金属帯60を挿通させる切欠開口部22が形成されている。
【００３４】
図２（ａ）に示すガラスグローブ40は、透明あるいは光拡散性を有する乳白色などの、ガラス材料により白熱電球のガラス球とほぼ同一形状のなめらかな曲面状に形成されている。ガラスグローブ40の開口部41には、カバー体20の下端の開口部21と略同径であり、開口部41周囲にわたり凹凸状に形成されている。なお、図３に示すようカバー体およびグローブそれぞれが重なる部分には幅５ｍｍ、厚さ１ｍｍ程度の金属例えばＳＵＳからなる帯状の締付固定部材により互いを縫いこむよう金属帯60が環状に介在している。なお、締付固定部材を金属材料とすることで、点灯中グローブ40およびカバー体20により密閉された空間の熱を金属の熱伝導により効率よく外部に放熱することができる。
【００３５】
カバー体20に収納される点灯装置30は、水平状、すなわち発光管50の長手方向と垂直に配置される回路基板31（ＰＣ板）を備え、この回路基板31の両面、すなわち口金10側である上面および発光管50側である下面に、複数の電子部品32が実装されて、高周波点灯を行うインバータ回路（高周波点灯回路）が構成されている。この回路基板31は略円板状で、この回路基板から導出されている図示しない一対のリード線が発光管50と電気的に接続されているとともに、後述するホルダ70を構成する仕切板71上に配設されている。
【００３６】
発光管50は、略同形状の４本のバルブ51を所定の位置に配置し、連通管で順次接続して、一本の放電路が形成されている。この放電路の端部に位置して、図示しないフィラメントコイルなどからなる電極が設けられ、電極は発光管50から外部に導出された４本のリード線は、点灯装置30に接続されている。また、各バルブ51は内面に三波長発光形蛍光体膜が被着されているとともに、内部にアルゴンなどの希ガスおよび水銀が封入されている。発光管50はホルダ70（仕切板）に取付けられている。
【００３７】
ホルダ70は、ホルダ70を構成する円盤状の２枚の仕切板71,72を有しており、互いは略同一外径に形成されているとともに互いの面が並行となるよう一対の支持部材73,74により支持されている。さらに、図２（ｂ）に示すよう口金10側に位置する第1の仕切板71には、点灯装置30が配設される領域を有するとともにその領域の外周には、支持部材を挿入する挿入孔75,76がそれぞれ対角線上に形成されている。なお、回路基板31の固定は、例えば一対の支持部材73,74に挟まれるように固定されている。
【００３８】
発光管50側に位置する第２の仕切板72には、仕切板の一部周縁に切立つ１枚の支持部材としての支持壁73が一体的に形成されているとともに、その支持壁73の対角線上には、残りの支持部材としての支持壁74を挿入するための挿入孔76が形成されている。さらに、第２の仕切板72の円周上には、発光管50外径と略同径であり、発光管50に対向する位置に発光管端部を挿入し保持するための発光管保持構造を有している。発光管保持構造は、第１の支持板71と対向しない側面にバルブ51外径よりも略細径となるような略円筒状の筒状突部77が形成されている。なお筒状突部77は高さ方向にスリット77aを設け、バルブ51端部をその弾力性により保持している。
【００３９】
発光管50を保持した第２の仕切板72の上方には、点灯装置30を搭載した第１の仕切板71が配設されている。第１の仕切板71と第２の仕切板72は、一対の支持壁73,74により互いが接触することなく略平行状態を保つよう保持され、仕切板73,74間にホルダ固定部材80が介在している。
【００４０】
ホルダ固定部材80は、一対の支持壁73,74により伸拡することで、ホルダ70を固定するため、収縮性を有す必要があり、例えば円筒状のシリコン樹脂により形成されている。ホルダ固定部材80は、固定部材80および一対の仕切板71,72により囲まれた断面略楕円の円筒状の空気層を形成するよう２枚の仕切板71,72間に配設されている。なお、ホルダ固定部材80は、グローブ開口部41内周壁と接触することで互いは密着固定されている。
【００４１】
本実施形態の電球形蛍光ランプは、入力電力定格12Wで、発光管には、10.5Wの電力が高周波で加わり、ランプ電流は190mA、ランプ電圧は58Vとなり、発光管18からの光出力により全光束が約810lmとなっている。
【００４２】
そして、蛍光ランプの不点灯などによって、電球形蛍光ランプが寿命と判断されたときには、電球形蛍光ランプを分解してリサイクル可能な部品を取り出すとともに、廃棄物として廃棄する部品など異種材料ごとに容易に分別することができる。
【００４３】
次に、電球形蛍光ランプの分解方法を説明する。まず、カバー体20に被覆された口金10のかしめを緩めて口金10をカバー体20から取り外すとともに、口金10および点灯装置30を電気的に接続している図示しないリード線を切断しその接続を解除する。次に、カバー体20およびグローブ50を縫い合わせるよう締付け固定している締付固定部材としての金属帯60を切断することでカバー体20およびグローブ40を分離する。次に、グローブ50により包囲され、ホルダ70に保持された蛍光ランプ50および点灯装置30の分離を行なう。
【００４４】
次に、２枚の仕切板71,72を支持しているとともに、グローブ50とホルダ80を固定しているホルダ固定部材80を伸拡している一方の支持壁74を引き抜くことで、伸拡されていたホルダ固定部材80としてのシリコン樹脂は縮小しグローブ50とホルダ80の固定が解除され、グローブ50は損傷することなく分離することができる。さらに、発光管50と点灯装置30を接続している図示しない電極リード線を切断することで、第１の仕切板71に配設された点灯装置30を取り外すことができる。また、点灯装置30と発光管50が電気的に接続されていたリード線を切断することにより、発光管50は第２の仕切板72の筒状部の弾性によりのみ支持されているので仕切板72から引き抜くことで分離可能となる。
【００４５】
このように電球形蛍光ランプを構成部品ごとに分別でき、さらには、それぞれの構成部品を破壊や損傷なく分離することができるので、リサイクルが可能となり、廃棄物などの発生抑制および資源の循環的利用を図ることができる。
【００４６】
なお、カバー体20およびグローブ40の固定方法は、本実施の形態に限定されるものではなく、例えば図５に示すよう、グローブ40と重なりあうカバー体20内壁部分に複数の凸部23を有し、その凸部23に例えば環状の熱収縮するフッ素樹脂からなる固定部材24を介在させる。次にグローブ40開口内周縁をカバー体凸部23および固定部材24側に、グローブ40開口外周縁をカバー体20内周縁と接触するようグローブ40を挿入後、カバー体外周より温風などにより加熱させることで固定部材を収縮させ、グローブとカバー体を固定しても構わない。さらには、互いの固定を螺合により行なっても構わない。螺合により互いを固定する場合、電球形蛍光ランプをソケットに着脱される際に生じるトルクで固着状態が解除されない程度に嵌合されている必要がある。
【００４７】
ホルダに発光管を保持する方法は、互いの部品を損傷することなく分離可能であれば、本実施の形態に限定されず、従来同様シリコン樹脂により接続しても構わない。
【００４８】
次に本発明の第１の実施形態である照明器具を図６を用いて説明する。図６は本発明の照明器具の一実施形態を示す断面概略図である。図において91は電球形蛍光ランプ、90は埋め込み形照明器具本体である。器具本体90は、基体92と反射板93などより構成されている。
【図面の簡単な説明】
【００４９】
【図１】第１の実施形態を示す電球形蛍光ランプ側面断面図。
【図２】図１の外囲器分解斜視図。
【図３】図１のＡ−Ａ’部分断面図。
【図４】図１の分解側面図。
【図５】グローブおよびカバー体の別の固定構造を示す断面図。
【図６】第１の実施形態を示す埋め込み形照明器具。
【符号の説明】
【００５０】
10‥口金、20‥カバー体、22‥切欠開口部、30‥点灯装置、40‥グローブ、
50‥発光管、60‥金属帯、70‥ホルダ、71‥第１の仕切板、72‥第２の仕切板
73‥支持壁、80‥ホルダ固定部材
【図１】
2005158334.tif 000003
【図２】
2005158334.tif 000004
【図３】
2005158334.tif 000005
【図４】
2005158334.tif 000006
【図５】
2005158334.tif 000007
【図６】
2005158334.tif 000008